(57)【要約】      （修正有）【課題】収納長のさらなる短縮が可能な沈胴式レンズ鏡筒及び沈胴方法を得る。【解決手段】撮影可能状態では単一の光軸上に位置する変倍に関与する複数のレンズ群と、これら複数のレンズ群による像を結像させる撮像素子とを有するズームレンズ鏡筒において、これらの複数のレンズ群は、撮影不能な沈胴状態で単一光軸から離れて位置する少なくとも一つの退避レンズ群を含み、撮影可能状態における退避レンズ群と単一光軸上に位置する撮像素子との光軸と平行な方向の距離よりも、撮影不能な沈胴状態における上記退避レンズ群と単一光軸上に位置する撮像素子との光軸と平行な方向の距離の方が小さい沈胴式ズームレンズ鏡筒。【選択図】図１
2006243750.tif 000002
【特許請求の範囲】
【請求項１】
撮影可能状態では単一の光軸上に位置する変倍に関与する複数のレンズ群と、これら複数のレンズ群による像を結像させる撮像素子とを有するズームレンズ鏡筒において、
これらの複数のレンズ群は、撮影不能な沈胴状態で上記単一光軸から離れて位置する少なくとも一つの退避レンズ群を含み、
上記撮影可能状態における上記退避レンズ群と上記単一光軸上に位置する撮像素子との光軸と平行な方向の距離よりも、上記撮影不能な沈胴状態における上記退避レンズ群と上記単一光軸上に位置する撮像素子との光軸と平行な方向の距離の方が小さいことを特徴とする沈胴式ズームレンズ鏡筒。
【請求項２】
撮影可能状態では単一の光軸上に位置する変倍に関与する複数のレンズ群と、これら複数のレンズ群による像を結像させる撮像素子とを有するズームレンズ鏡筒の沈胴方法であって、
上記撮影可能状態から、上記複数のレンズ群の少なくとも一部のレンズ群を上記単一光軸から離間した位置に移動させて撮影不能とするステップと、
上記単一光軸上に位置する撮像素子と、該光軸から離間した位置に移動するレンズ群との光軸と平行な方向の間隔を縮めるステップと、を有することを特徴とするズームレンズ鏡筒の沈胴方法。
【請求項３】
撮影可能状態では単一の光軸上に位置する変倍に関与する複数のレンズ群と、これら複数のレンズ群による像を結像させる撮像素子とを有するズームレンズ鏡筒であって、
これらの複数のレンズ群は、撮影不能な沈胴状態で上記単一光軸から離れて位置する少なくとも一つの退避レンズ群を含み、
上記撮影不能状態では、上記退避レンズ群と単一光軸上に位置する撮像素子との光軸と平行な方向の間隔を撮影可能状態よりも縮めることを特徴とするズームレンズ鏡筒。
【発明の詳細な説明】
【技術分野】
【０００１】
本発明は、沈胴式ズームレンズ鏡筒及びその沈胴方法に関する。
【背景技術】
【０００２】
ズームレンズカメラの小型化の要求はとどまるところが無く、非撮影状態において、その鏡筒内に撮影レンズをほぼ完全に収納する沈胴式ズームレンズ鏡筒は一層の収納長の短縮が求められている。特に、異なるカメラボディ（カメラメーカー）に対して適用可能とするズームレンズ鏡筒は、単体で（つまりカメラボディとは独立した状態で）収納長の短縮が図られなければならない。
【特許文献１】特開昭６２-６９２２２号公報
【特許文献２】特公平７-８５１３２号公報
【特許文献３】特開平７-１９９０１９号公報
【特許文献４】特開平８-２３４０８９号公報
【発明の開示】
【発明が解決しようとする課題】
【０００３】
本発明は、収納長のさらなる短縮が可能な沈胴式レンズ鏡筒を得ることを目的とする。
【課題を解決するための手段】
【０００４】
本発明の沈胴式レンズ鏡筒は、撮影可能状態では単一の光軸上に位置する変倍に関与する複数のレンズ群と、これら複数のレンズ群による像を結像させる撮像素子とを有するズームレンズ鏡筒において、これらの複数のレンズ群は、撮影不能な沈胴状態で上記単一光軸から離れて位置する少なくとも一つの退避レンズ群を含み、撮影可能状態における上記退避レンズ群と上記単一光軸上に位置する撮像素子との光軸と平行な方向の距離よりも、上記撮影不能な沈胴状態における上記退避レンズ群と上記単一光軸上に位置する撮像素子との光軸と平行な方向の距離の方が小さいことを特徴としている。
【０００５】
また本発明は、沈胴方法の態様では、撮影可能状態では単一の光軸上に位置する変倍に関与する複数のレンズ群と、これら複数のレンズ群による像を結像させる撮像素子とを有するズームレンズ鏡筒の沈胴方法であって、撮影可能状態から、上記複数のレンズ群の少なくとも一部のレンズ群を上記単一光軸から離間した位置に移動させて撮影不能とするステップと、単一光軸上に位置する撮像素子と、該光軸から離間した位置に移動するレンズ群との光軸と平行な方向の間隔を縮めるステップと、を有することを特徴としている。
【０００６】
本発明は、別のズームレンズ鏡筒の態様では、撮影可能状態では単一の光軸上に位置する変倍に関与する複数のレンズ群と、これら複数のレンズ群による像を結像させる撮像素子とを有するズームレンズ鏡筒であって、これらの複数のレンズ群は、撮影不能な沈胴状態で上記単一光軸から離れて位置する少なくとも一つの退避レンズ群を含み、撮影不能状態では、上記退避レンズ群と単一光軸上に位置する撮像素子との光軸と平行な方向の間隔を撮影可能状態よりも縮めることを特徴としている。
【発明の効果】
【０００７】
本発明によれば、レンズ鏡筒の収納長を一層短縮することができる。
【発明を実施するための最良の形態】
【０００８】
まず、図１ないし図３について、本実施形態の沈胴式レンズ鏡筒１０の全体構造を説明する。この実施形態は、デジタルカメラ用のズームレンズ鏡筒に本発明を適用したもので、撮影光学系は、物体側から順に、第１レンズ群Ｌ１、絞り（シャッタ）Ｓ、第２レンズ群（退避光学要素）Ｌ２、第３レンズ群Ｌ３、ローパスフィルタ（フィルタ類）Ｆ及び固体撮像素子Ｃからなっている。撮影光学系の光軸はＺ１である。ズーミングは第１レンズ群Ｌ１と第２レンズ群Ｌ２を光軸方向に所定の軌跡で進退させ、フォーカシングは第３レンズ群Ｌ３で行う。なお、本実施形態のように少なくとも２つのレンズ群を光軸方向に移動させてズーミングを行ってもよいし、あるいは、少なくとも１つのレンズ群と像面（例えば撮像素子）を光軸方向に移動させてズーミングを行うことも可能である。
【０００９】
本実施形態は、例えば以上の撮影光学系構成を有するレンズ鏡筒１０において、撮影状態では、図１と図３（Ａ）に示すように、撮影光学系を構成するすべての光学要素を同一の撮影光学系光軸（撮影光軸、以下単に光軸）Ｚ１上に位置させ、沈胴状態では、図２と図３（Ｂ）に示すように、複数の光学要素のうちの第２レンズ群Ｌ２を光軸Ｚ１とは異なる位置（退避光軸Ｚ１'）に退避させ、かつ該第２レンズ群Ｌ２（退避した光学要素）と、退避しない光学要素の少なくとも一部とをそれぞれ光軸Ｚ１、Ｚ１'方向後方に後退させることで収納長の短縮を図っている。
【００１０】
すなわち、図１と図３（Ａ）の撮影状態から図２と図３（Ｂ）の沈胴状態に移行させるときには、第２レンズ群Ｌ２を残りの光学要素の光軸Ｚ１とは異なる偏心位置に退避させ、次に、この偏心退避ステップで退避した第２レンズ群Ｌ２をその退避光軸Ｚ１'方向後方に後退させるとともに、残りの光学要素のうちの第１レンズ群Ｌ１、絞り（シャッタ）Ｓ及び第３レンズ群Ｌ３を後方に後退させる。図２と図３の（Ｂ）の沈胴状態（収納状態）では、退避した第２レンズ群Ｌ２は、光軸Ｚ１上に存在する他の光学要素と光軸直交断面（撮影光軸Ｚ１を中心とする径方向）においてオーバラップしている。具体的には、沈胴状態で第２レンズ群Ｌ２は、撮影光軸Ｚ１を中心とする径方向において第３レンズ群Ｌ３、ローパスフィルタＦ及び固体撮像素子Ｃの外形の外側に位置している。換言すれば、沈胴状態では、第２レンズ群Ｌ２が占める光軸方向位置（領域）は、第３レンズ群Ｌ３、ローパスフィルタＦ及び固体撮像素子Ｃの占める光軸方向位置（領域）と重複しており、光軸方向における第２レンズ群Ｌ２の収納スペースが実質的に省略されている。これによりレンズ鏡筒１０の収納長を短くすることが可能になっている。
【００１１】
請求範囲の表現との対応をとると、図１及び図３（Ａ）の撮影可能状態では複数のレンズ群Ｌ１、Ｌ２、Ｌ３及びこれら複数のレンズ群による像を結像させる撮像素子Ｃとが単一の光軸Ｚ１上に位置し、これらの複数のレンズ群は、図２及び図３（Ｂ）の撮影不能状態で単一光軸Ｚ１から離れた光軸Ｚ１'上に位置するレンズ群Ｌ２を含んでいる。そして、撮影不能状態で単一光軸Ｚ１から離れた光軸Ｚ１'上に位置するレンズ群Ｌ２を退避レンズ群と呼ぶと、この退避レンズ群Ｌ２は、撮影可能状態より撮影不能状態において、像側に接近している。
【００１２】
この接近の程度は、撮像素子Ｃを基準にすると、撮影可能状態において退避レンズ群Ｌ２と単一光軸Ｚ１上に位置する撮像素子Ｃとの光軸と平行な方向の距離よりも、撮影不能な沈胴状態における退避レンズ群Ｌ２と単一光軸Ｚ１上に位置する撮像素子Ｃとの光軸Ｚ１と平行な方向の距離の方が小さい。
【００１３】
別の表現では、撮影不能状態では、退避レンズ群Ｌ２と単一光軸Ｚ１上に位置する撮像素子との光軸Ｚ１と平行な方向の間隔を撮影可能状態よりも縮めている。
【００１４】
また、撮像素子Ｃの位置を基準として、ズームレンズ鏡筒の沈胴方法の態様で表現すると、撮影可能状態から、複数のレンズ群の少なくとも一部のレンズ群Ｌ２を単一光軸Ｚ１から離間した位置に移動させて撮影不能とするステップと、単一光軸Ｚ１上に位置する撮像素子Ｃと、該光軸から離間した光軸Ｚ１’上に位置に移動するレンズ群Ｌ２との光軸Ｚ１と平行な方向の間隔を縮めるステップと、を有することを特徴としている。
【００１５】
以上のような沈胴態様を可能とする沈胴式レンズ鏡筒１０の具体的構造例を主に図１、図２について説明する。沈胴式レンズ鏡筒１０は、固定（不動）部材として、ローパスフィルタＦ及び固体撮像素子Ｃを固定するＣＣＤ枠１１、固定筒１２及び前面化粧枠１３を有する。前面化粧枠１３には、鏡筒進退開口１３ａが形成されている。
【００１６】
固定筒１２の外周には、回転環１４が回転のみ可能に支持されている。すなわち、固定筒１２にはその外周面に径方向突起１２ａが形成され、回転環１４には、その内周面にこの径方向突起１２ａに係合する周方向溝１４ａが形成されていて、両者の係合により、回転環１４は光軸方向移動を規制され回転のみ可能に固定筒１２に支持されている。回転環１４にはまた、その外周面にギヤ１４ｂが形成されており、このギヤ１４ｂにピニオン１５が噛み合っている。ピニオン１５がモータＭによって正逆に回転駆動されると、回転環１４が回転部材の回転中心軸Ｚ２を中心に正逆に駆動される。回転中心軸Ｚ２は、光軸Ｚ１と平行でかつ該光軸Ｚ１に対して偏心している。回転環１４の内周面には、回転中心軸Ｚ２と平行な回転伝達溝１４ｃが形成されている。なお、以下に説明する環状部材は、いずれも回転中心軸Ｚ２を中心とする環状部材である。
【００１７】
固定筒１２の内側には、順に、外側直進筒１６、内側直進筒１７、カム環１８、直進案内リング１９及び退避レンズ群支持枠２０が位置している。固定筒１２には、その内周面に直進案内溝１２ｂが形成されており、直進案内リング１９にはこの直進案内溝１２ｂに嵌まる直進案内突起１９ａが形成されている。直進案内リング１９は光軸方向にのみ移動する環状部材である。また、直進案内リング１９の外周面とカム環１８の内周面には、両者の相対回転を可能とし光軸方向の相対移動を規制する（許さない）径方向突起１９ｂと周方向溝１８ａが形成されている。カム環１８は、直進案内リング１９と光軸方向に常時一緒に移動する、直進案内リング１９に対する相対回転が可能な環状部材である。
【００１８】
固定筒１２には、径方向に貫通するカム溝１２ｃが形成されている。カム環１８には、このカム溝１２ｃに嵌まるフォロアピン１８ｂが径方向に突出させて設けられており、フォロアピン１８ｂはさらに回転環１４の回転伝達溝１４ｃに嵌まっている。カム溝１２ｃの展開形状は、図２に示す沈胴位置において回転環１４がレンズ繰出方向に回転され、回転伝達溝１４ｃ、フォロアピン１８ｂを介してカム環１８が回転すると、該カム環１８がまず図１の最大突出位置に移動し、その後、その最大突出位置で回転のみするように設定されている。
【００１９】
カム環１８の内周面と外周面にはそれぞれ、カム溝１８ｃと１８ｄが形成されており、カム溝１８ｄには、内側直進筒１７の内周面に突出させたフォロアピン１７ａが嵌まり、カム溝１８ｃには、退避レンズ群支持枠２０の外周面に突出させたフォロア突起２０ａが嵌まっている。退避レンズ群支持枠２０は、直進案内リング１９の直進ガイドバー１９ｃ（図４参照）に係合する直進ガイド溝２０ｂ（同）によって光軸方向に直進案内されている。従って、カム環１８が回転駆動されると、退避レンズ群支持枠２０がカム溝１８ｃの形状に従い回転中心軸Ｚ２方向に進退する。
【００２０】
また、外側直進筒１６とカム環１８とは、相対回転は可能に光軸方向には一緒に移動するように結合されている。すなわち、外側直進筒１６の内周面に形成した周方向溝１６ａに対し、カム環１８の外周面に設けた径方向突起１８ｆが摺動可能に嵌まっている。また外側直進筒１６は固定筒１２に、内側直進筒１７は外側直進筒１６にそれぞれ、回転中心軸Ｚ２方向の直進相対移動のみ可能に支持されている。すなわち、外側直進筒１６の外周面に突設した直進案内突起１６ｂは、固定筒１２の内周面に形成した回転中心軸Ｚ２と平行な直進案内溝１２ｄに嵌まり、内側直進筒１７の外周面に突設した直進案内突起１７ｂは、外側直進筒１６の内周面に形成した回転中心軸Ｚ２と平行な直進案内溝１６ｃに嵌まっている。従って、内側直進筒１７はカム環１８が回転駆動されるとカム溝１８ｄの形状に従い回転中心軸Ｚ２方向に進退する。
【００２１】
内側直進筒１７は第１レンズ群Ｌ１を支持する第１レンズ枠である。第２レンズ群Ｌ２は、退避レンズ枠（第２レンズ枠）２１に支持されており、第３レンズ群Ｌ３は、第３レンズ枠２２に支持されている。第３レンズ枠２２は、図４以下に示すように、一対の径方向アーム２２ａを有し、この径方向アーム２２ａの直進案内部２２ｂ、送り雌ねじ筒２２ｃ及びこの雌ねじ筒２２ｃに螺合する図示しない送りねじ軸によって光軸Ｚ１方向に正逆に駆動される。送りねじ軸は、被写体距離情報に応じた回転角（数）だけ回転される。
【００２２】
上述のように、第２レンズ群Ｌ２は、沈胴時には、光軸Ｚ１からの偏心位置に退避する退避光学要素である。次に図４以下について、この第２レンズ群Ｌ２の退避構造を説明する。退避レンズ枠２１は、第２レンズ群Ｌ２を固定したレンズ筒２１ａ、このレンズ筒２１ａの径方向に延びる揺動アーム２１ｂ、及びこの揺動アーム２１ｂの先端に設けた揺動中心筒２１ｃを有している。揺動中心筒２１ｃは、退避レンズ群支持枠２０に設けた偏心軸２０ｃに回動自在に嵌まっており、レンズ筒２１ａに固定されている第２レンズ群Ｌ２は、退避レンズ群支持枠２０の偏心軸２０ｃを中心とする揺動運動により、光軸Ｚ１上に位置する撮影位置（図５、図６、図７、図８及び図１０の各（Ａ）参照）と、光軸Ｚ１から退避した偏心退避位置（同各（Ｂ）参照）とに移動できる。退避レンズ枠２１は、揺動中心筒２１ｃと偏心軸２０ｃとの間に介在させたトーションばね２３（図１）により、レンズ筒２１ａ（第２レンズ群Ｌ２）が光軸Ｚ１上に位置する方向に回動付勢されており、その突出端（回動端）は、退避レンズ枠２１に設けたストッパアーム２１ｄと、退避レンズ群支持枠２０に設けたストッパ２０ｄ（図１０）とによって規制される。また、退避レンズ群支持枠２０には、偏心退避位置に移動したレンズ筒２１ａ（第２レンズ群Ｌ２）の一部を進入させる切欠２０ｆが形成されている。
【００２３】
退避レンズ枠２１の揺動中心筒２１ｃには、位置制御突起（カムフォロア）２１ｆが形成されており、ＣＣＤ枠１１には、この位置制御突起２１ｆと係合して退避レンズ枠２１の位置を制御する位置制御カム１１ａが形成されている。位置制御カム１１ａは、特に図９に明らかなように、ＣＣＤ枠１１のベース部１１ｂから、回転中心軸Ｚ２と平行な方向に突設されており、光軸Ｚ１に近い内縁部側に回転中心軸Ｚ２と平行な退避位置保持面１１ａ１を有し、この退避位置保持面１１ａ１の先端部に連続して移行傾斜面１１ａ２を有している。移行傾斜面１１ａ２は、位置制御カム１１ａの外縁部１１ａ３から退避位置保持面１１ａ１側（内縁部側）に向かうにつれて、徐々にベース部１１ａに近づく（光軸方向後方に向かう）ように傾斜している。退避レンズ枠２１の位置制御突起２１ｆが退避位置保持面１１ａ１に係合している状態では、第２レンズ群Ｌ２は光軸Ｚ１から偏心した退避位置に位置している。退避レンズ枠２１（退避レンズ群支持枠２０）が回転中心軸Ｚ２方向前方に移動して、位置制御突起２１ｆが退避位置保持面１１ａ１から離れて移行傾斜面１１ａ２と係合すると、トーションばね２３の力によって、レンズ筒２１ａ（第２レンズ群Ｌ２）を光軸Ｚ１上に突出させる方向に退避レンズ枠２１が回転し始める。図８の（Ａ）のように位置制御突起２１ｆが位置制御カム１１ａの前端部（移行傾斜面１１ａ２）よりも前方へ移動して離間すると、位置制御カム１１ａによる退避レンズ枠２１への位置規制が解除され、トーションばね２３の力によってレンズ筒２１ａ（第２レンズ群Ｌ２）が光軸Ｚ１上に突出する。この突出位置は、ストッパアーム２１ｄとストッパ２０ｄとの当接位置で規制され、このとき、第２レンズ群Ｌ２の光軸は光軸Ｚ１と一致する。逆に、第２レンズ群Ｌ２が撮影位置にある状態から退避レンズ群支持枠２０が後退すると、位置制御突起２１ｆが移行傾斜面１１ａ２に係合して、退避レンズ枠２１が偏心軸２０ｃを中心に回動し、第２レンズ群Ｌ２が光軸Ｚ１から退避する。退避レンズ群支持枠２０がさらに後退すると、退避レンズ枠２１の位置制御突起２１ｆが退避位置保持面１１ａ１に係合して、第２レンズ群Ｌ２が退避位置に保持される。この退避状態では、レンズ筒２１ａの外周一部は、退避レンズ群支持枠２０の切欠２０ｆ内に進入するが退避レンズ群支持枠２０の外側には突出せず、退避レンズ群支持枠２０の外側に位置するカム環１８とは干渉しない。このとき、第２レンズ群Ｌ２の退避光軸Ｚ１'は、環状をなす退避レンズ群支持枠２０（固定筒１２、外側直進筒１６、内側直進筒１７、カム環１８及び直進案内リング１９）の輪郭内に位置する。
【００２４】
上記構成の本沈胴式レンズ鏡筒１０は、例えば次のように動作する。図２と図３（Ｂ）に示す沈胴位置においては、外側直進筒１６、内側直進筒１７、カム環１８及び直進案内リング１９はすべて、前面化粧枠１３の鏡筒進退開口１３ａ内に位置している。この沈胴状態において、カメラのメインスイッチＭＳがオンになると、ピニオン１５を介して回転環１４が所定角度だけ（例えばワイド端撮影状態とするように）レンズ繰出方向に回転される。回転環１４の回転はカム環１８に伝達され、該カム環１８が固定筒１２のカム溝１２ｃとフォロアピン１８ｂに従って、最大突出位置に突出する。この突出過程では、外側直進筒１６、内側直進筒１７、カム環１８及び直進案内リング１９が、前面化粧枠１３の鏡筒進退開口１３ａから外部に突出する。そして、カム環１８と一緒に、直進案内リング１９及び外側直進筒１６が前方に直進移動し、内側直進筒１７と退避レンズ群支持枠２０は、カム環１８のカム溝１８ｃと１８ｄに従って光軸方向前方のワイド端撮影位置に移動する。退避レンズ群支持枠２０が前方に移動すると、退避レンズ枠２１の位置制御突起２１ｆはやがて位置制御カム１１ａの退避位置保持面１１ａ１から移行傾斜面１１ａ２に係合する。すると、退避レンズ枠２１は、偏心軸２０ｃを中心に、トーションばね２３の力によってレンズ筒２１ａ（第２レンズ群Ｌ２）が光軸Ｚ１上に突出する方向に回動し、位置制御突起２１ｆが移行傾斜面１１ａ２よりも前方へ移動（離間）したときに、ストッパアーム２１ｄがストッパ２０ｄと当接する位置でその突出端が規制される。これが図１と図３（Ａ）の撮影状態（ワイド端）である。
【００２５】
この撮影状態で、ズームスイッチＺＳを操作してピニオン１５を駆動すると、カム環１８は定位置で（光軸方向に移動することなく）回動し、そのカム溝１８ｃと１８ｄに従って、退避レンズ群支持枠２０と内側直進筒１７が光軸方向に所定の軌跡で移動する。退避レンズ群支持枠２０には、第２レンズ群Ｌ２を有する退避レンズ枠２１が搭載され、内側直進筒１７には第１レンズ群Ｌ１が支持されているから、この第１レンズ群Ｌ１と第２レンズ群Ｌ２によってズーミングがなされる。またフォーカシングは、被写体距離情報に基づいて、第３レンズ枠２２を光軸Ｚ１方向に駆動して行われる。
【００２６】
メインスイッチＭＳがオフになると、ピニオン１５が逆方向に回転し、カム環１８をワイド端位置からさらに後方に移動させる。この後方移動過程では、カム環１８のカム溝１８ｃと１８ｄによって退避レンズ群支持枠２０と内側直進筒１７が後方に移動する。退避レンズ群支持枠２０が後方に移動すると、位置制御突起２１ｆが位置制御カム１１ａの移行傾斜面１１ａ２に係合して、トーションばね２３の付勢力に抗して退避レンズ枠２１が偏心軸２０ｃを中心に回動して、第２レンズ群Ｌ２が光軸Ｚ１から退避し、位置制御突起２１ｆが退避位置保持面１１ａ１に係合すると、その退避位置に保持される。そして、第２レンズ群Ｌ２が光軸Ｚ１とは偏心した退避光軸Ｚ１'に退避した後、カム環１８はさらに後退し、内側直進筒１７（第１レンズ群Ｌ１）がカム溝１８ｄに従って後退する。同時に、退避レンズ群支持枠２０はカム溝１８ｃに従って後退し、位置制御突起２１ｆは退避位置保持面１１ａ１との係合状態を維持して（第２レンズ群Ｌ２を偏心退避位置に保持して）後退し、図２と図３（Ｂ）の沈胴状態になる。
【００２７】
図１１は、本発明の別の実施形態を示している。この実施形態では、沈胴式レンズ鏡筒１０の沈胴状態において、第２レンズ群Ｌ２のみならず、第１レンズ群Ｌ１も光軸Ｌ１上の位置から退避させている。第１レンズ群Ｌ１は、退避しない光学要素の光軸Ｚ１に対して第２レンズ群Ｌ２とは異なる方向に退避されており、その退避後の光軸Ｚ１"は、退避しない光学要素の光軸Ｚ１や退避した第２レンズ群Ｌ２の光軸Ｚ１'と重なっていない。この第２実施形態では、沈胴状態において、第１レンズ群Ｌ１、第２レンズ群Ｌ２及び第３レンズ群Ｌ３の全てのレンズ群の光軸方向位置が互いに重複（光軸直交断面においてオーバラップ）しており、レンズ鏡筒１０の収納長をより一層短縮することが可能になっている。つまり本発明では、撮影状態から沈胴状態（収納状態）への移行に際して撮影光軸上から退避される光学要素は、単数に限らず複数とすることもできる。
【図面の簡単な説明】
【００２８】
【図１】本発明による沈胴式ズームレンズ鏡筒の一実施形態を示す、撮影状態における縦断面図である。
【図２】同沈胴状態の縦断面図である。
【図３】（Ａ）、（Ｂ）はそれぞれ、図１、図２のズームレンズ鏡筒からレンズ群、シャッタ、フィルタ及びＣＣＤだけを取り出して描いた側面図である。
【図４】図１、図２の沈胴式ズームレンズ鏡筒の主要部品の分解斜視図である。
【図５】（Ａ）は図４の主要部品から直進案内環を除いて組み立てた状態を示す撮影状態の正面図、（Ｂ）は同退避状態の正面図である。
【図６】（Ａ）、（Ｂ）はそれぞれ、図５（Ａ）、（Ｂ）において退避レンズ群支持枠の一部を切り欠いて示した斜視図である。
【図７】（Ａ）は図４の主要部品から直進案内環及び退避レンズ群支持枠を除いて組み立てた状態を示す撮影状態の正面図、（Ｂ）は同退避状態の正面図である。
【図８】（Ａ）、（Ｂ）はそれぞれ、図７（Ａ）、（Ｂ）の斜視図である。
【図９】退避レンズ枠の進退カム機構部分を拡大して示す、図６、図８とは見る方向が異なる斜視図である。
【図１０】（Ａ）、（Ｂ）はそれぞれ、退避レンズ群支持枠に対する退避レンズ枠の支持態様を示す、光軸方向後方から見た斜視図である。
【図１１】本発明の沈胴式ズームレンズ鏡筒の第２の実施形態を示す、沈胴状態における縦断面図である。
【符号の説明】
【００２９】
Ｌ１  第１レンズ群
Ｌ２  第２レンズ群
Ｌ３  第３レンズ群
Ｃ  固体撮像素子
Ｆ  ローパスフィルタ
１０  沈胴式レンズ鏡筒
１１  ＣＣＤ枠
１１ａ  位置制御カム
１１ａ１  退避位置保持面
１１ａ２  移行傾斜面
１２  固定筒
１２ａ  径方向突起
１２ｂ  直進案内溝
１２ｃ  カム溝
１４  回転環
１４ａ  周方向溝
１４ｂ  ギヤ
１４ｃ  回転伝達溝
１５  ピニオン
１６  外側直進筒
１７  内側直進筒
１８  カム環
１８ａ  周方向溝
１８ｂ  フォロアピン
１８ｃ  １８ｄ  カム溝
１８ｆ  径方向突起
１９  直進案内リング
１９ａ  直進案内突起
１９ｂ  径方向突起
１９ｃ  直進ガイドバー
２０  退避レンズ群支持枠
２０ａ  フォロア突起
２０ｂ  直進ガイド溝
２０ｃ  偏心軸
２０ｄ  ストッパ
２１  退避レンズ枠
２１ａ  レンズ筒
２１ｂ  揺動アーム
２１ｃ  揺動中心筒
２１ｄ  ストッパアーム
２１ｆ  位置制御突起（カムフォロア）
２２  第３レンズ枠
２３  トーションばね
４０  カメラボディ
【図１】
2006243750.tif 000003
【図２】
2006243750.tif 000004
【図３】
2006243750.tif 000005
【図４】
2006243750.tif 000006
【図５】
2006243750.tif 000007
【図６】
2006243750.tif 000008
【図７】
2006243750.tif 000009
【図８】
2006243750.tif 000010
【図９】
2006243750.tif 000011
【図１０】
2006243750.tif 000012
【図１１】
2006243750.tif 000013